(57)【要約】【課題】液体容器に収納された芳香剤や薬液の初回使用時や内容物の詰め替え作業において、手指を汚染させることなく、容易に作業が可能で、芳香剤や薬液の拡散にも支障のない、薬液の拡散板を提供することを課題とする。【解決手段】薬液を空気中に拡散するための拡散板であって、該拡散板は螺子溝のついた螺子穴を有しており、該螺子穴は、薬液を収納した容器口部の螺子と、嵌め合わせることができ、該拡散板は、薬液の容器と嵌め合わせた状態で、容器を倒立させて支えることが可能であり、該拡散板は、該螺子穴内側から接続して表面に設けられた、放射状に広がる１以上のスリットを有していることを特徴とする、薬液の拡散板である。【選択図】図１
2018042656.tif 000002
【特許請求の範囲】
【請求項１】
薬液を空気中に拡散するための拡散板であって、
該拡散板は螺子溝のついた螺子穴を有しており、
該螺子穴は、薬液を収納した容器口部の螺子と、嵌め合わせることができ、
該拡散板は、薬液の容器と嵌め合わせた状態で、容器を倒立させて支えることが可能であり、
該拡散板は、該螺子穴内側から接続して表面に設けられた、放射状に広がる１以上のスリットを有していることを特徴とする、薬液の拡散板。
【請求項２】
前記スリットは、幅０．０５ｍｍ〜０．６ｍｍの範囲であることを特徴とする、請求項１に記載の、薬液の拡散板。
【請求項３】
前記拡散板の螺子穴の外周表面には、同心円の凹凸が設けられていることを特徴とする、請求項１または請求項２に記載の、薬液拡散板。
【発明の詳細な説明】
【技術分野】
【０００１】
本発明は、容器に収納された薬液を、容器の外部に拡散することのできる拡散板に関するものであって、芳香剤のほか消臭剤等その他の薬液にも使用可能な、薬液の拡散板に関するものである。
【背景技術】
【０００２】
近年の住宅事情の進化や、人々のライフスタイルへの関心の拡大、また快適な生活環境を求めるなどの意識の変化を背景として、匂いあるいは臭いへの関心が高まり、その結果芳香剤や消臭剤に関心が集まっている。
【０００３】
数多くのトイレタリー用品メーカーあるいは化学メーカーから、様々なタイプの芳香剤、あるいは消臭剤が商品化され、大々的な広告宣伝とともに販売されている。
【０００４】
一般の住宅を例にとっても、トイレ、居室、寝室、玄関、靴箱、ペット、タバコ、あるいは車の中、などそのニーズは幅広い。また、方式もスプレイタイプのものや、据え置きタイプの商品などさまざまな形態のものが商品化され、ドラッグストアやコンビニエンスストアの棚をにぎわしている。
【０００５】
ひとつの方式として、ガラス瓶に収納した液体の芳香剤に浸した不織布やフエルトを、使用時には引き上げて露出させ、成分を一定の時間をかけて拡散させる方式のものが使われている。これらの商品は、拡散の速度もある程度コントロールでき、また詰め替え用の商品もあって、環境保護の点でも評価されている。
【０００６】
特許文献１あるいは特許文献２には、このような商品の容器が提案されており、実際に実用化されていると思われるが、これらは初回の使用時において、芳香の発生や薬液の拡散についての利便性を追求した提案になっている。
【０００７】
しかしながら、中身の詰め替えの場合など、現実の作業において、不織布やフエルトは使い捨てになっている場合も多く、詰め替えのためには薬液の付着したままの不織布やフエルトに指が触れることになり、芳香といえども原液は強烈な香りであって、また薬液による手指の汚染など、必ずしも快適あるいは安全な作業とはいえない現状であって、改善が望まれている。
【先行技術文献】
【特許文献】
【０００８】
【特許文献１】実開平９−４２１号公報
【特許文献２】特開２００７−２７６８３１号公報
【発明の概要】
【発明が解決しようとする課題】
【０００９】
本発明はこのような状況に鑑みてなされたものであり、液体容器に収納された芳香剤や薬液の初回使用時や内容物の詰め替え作業において、手指を汚染させることなく、容易に作業が可能で、芳香剤や薬液の拡散にも支障のない、薬液の拡散板を提供することを課題とする。
【課題を解決するための手段】
【００１０】
上記の課題を解決するための手段として、請求項１に記載の発明は、薬液を空気中に拡
散するための拡散板であって、
該拡散板は螺子溝のついた螺子穴を有しており、
該螺子穴は、薬液を収納した容器口部の螺子と、嵌め合わせることができ、
該拡散板は、薬液の容器と嵌め合わせた状態で、容器を倒立させて支えることが可能であり、
該拡散板は、該螺子穴内側から接続して表面に設けられた、放射状に広がる１以上のスリットを有していることを特徴とする、薬液の拡散板である。
【００１１】
また、請求項２に記載の発明は、前記スリットは、幅０．０５ｍｍ〜０．６ｍｍの範囲であることを特徴とする、請求項１に記載の、薬液の拡散板である。
【００１２】
また請求項３に記載の発明は、前記拡散板の螺子穴の外周表面には、同心円の凹凸が設けられていることを特徴とする、請求項１または請求項２に記載の、薬液拡散板である。
【発明の効果】
【００１３】
本発明によれば、液体容器に収納された芳香剤や薬液の初回使用時や内容物の詰め替え作業において、手指を汚染させることなく、容易に作業が可能で、芳香剤や薬液の拡散にも支障のない、薬液の拡散板を提供することが可能である。
【００１４】
これは、単に容器の口部に、本発明による薬液の拡散板を螺合させることにより、拡散板に設けられたスリットによって、薬液を外部に導き出すことができ、薬液の拡散効果を容易に得ることができるためである。
【００１５】
また、請求項２に記載の発明によれば、液体容器に収納された芳香剤や薬液の初回使用時や内容物の詰め替え作業において、手指を汚染させることなく、容易に作業が可能で、芳香剤や薬液の拡散にも支障のない、薬液のより効果的な拡散効果を有する、拡散板を提供することが可能である。
【００１６】
また請求項３に記載の発明によれば、拡散板の螺子穴の外周表面に、同心円の凹凸が設けられていることによって、スリットによって導き出された薬液が、さらに同心円の凹凸の溝によって、広範囲に広がり、外部空気との接触面積が増大することにより、より効率的な拡散効果を得ることができる。
【図面の簡単な説明】
【００１７】
【図１】図１は、本発明に係る薬液の拡散板の、一実施形態を説明するための、斜視模式図である。
【図２】図２は、本発明に係る薬液の拡散板の、他の実施形態を説明するための、平面模式図である。
【図３】図３は、本発明に係る薬液拡散板の、図２に示す拡散板外周表面の、拡大部分断面図である。
【図４】図４は、本発明に係る薬液の拡散板の、一実施形態の使用状況を説明するための部分断面模式図である。
【図５】図５は、本発明に係る薬液の、拡散板の実施例および比較例の拡散評価を示す図である。
【発明を実施するための形態】
【００１８】
以下、本発明を実施するための形態について、図を参照しながら、更に詳しい説明を加える。ただし本発明は、ここに示す例にのみ限定されるものではない。本発明は、請求項によって限定されるものである。
【００１９】
図１は、本発明に係る薬液の拡散板の、一実施形態を説明するための、斜視模式図である。
【００２０】
本発明は、薬液を空気中に拡散するための拡散板（１０）であって、拡散板（１０）は液体容器に収納された薬液を、容器外の空気中に拡散する機能を有する。また拡散板（１０）は、容器口部の螺子と嵌め合わせることのできる、螺子溝（２）を有する螺子穴（３）をその中央部に備えている。螺子穴（３）は螺子穴底部（５）によって片側が閉じられた円筒形である。
【００２１】
すなわち、本発明による拡散板（１０）は、螺子穴（３）を有しており、螺子穴（３）の内側には螺子溝（２）が設けてあり、容器口部の螺子を、螺合し嵌め合わせて固定し、容器を倒立させて支えることが可能である。
【００２２】
拡散板厚さ（１７）を有する拡散板（１０）には、螺子穴（３）内側から接続して、螺子穴（３）の円筒部、および拡散板外周表面（１４）に設けられた、放射状に広がる１以上のスリット（１）を有している。スリット（１）の数は、１以上多数であってもよく、薬液の成分、性状、使用目的などによって、適宜決定することができる。ここに示す例においては、スリット（１）の本数は８本である。
【００２３】
また、スリット（１）は、幅０．０５ｍｍ〜０．６ｍｍの範囲であって、毛管現象によって、容器内の芳香剤もしくは消臭剤等の薬液を容器外に導き出して、蒸発によって容器外部の空気中に拡散することが出来る。
【００２４】
図２は、本発明に係る薬液の拡散板の、他の実施形態を説明するための、平面模式図である。
【００２５】
ここに示す例においては、本発明による薬液の拡散板（１０）を、螺子穴（３）側からみた平面模式図であって、螺子穴周縁部（１２）、螺子穴（３）円筒部、および拡散板外周表面（１４）には、スリット（１）が放射状に８本設けられていることに加えて、拡散板外周表面（１４）には同心円の凹凸（１８）が設けられている。
【００２６】
スリットに（１）よって容器外部に導き出された薬液は、さらに同心円の凹凸（１８）によって、方向を変えて広がり、空気との接触面積が増大する。これにより、薬液のより効率的な拡散効果を得ることができる。
【００２７】
また図３は、本発明に係る薬液拡散板の、図２に示す拡散板外周表面の、拡大部分断面図である。
【００２８】
すなわち、図２におけるＡ，Ｂを結ぶ直線の拡散板外周部分の、垂直断面を示したものである。ここに示す例においては、同心円の凹凸（１８）の断面が示されている。同心円の凹凸（１８）の形状は、たとえば高さ（１９）が１ｍｍの凹凸であって、そのピッチ（２０）はたとえば１ｍｍ以下とすることができ、スリット（１）からの薬液の広がりの効果を得ることができる。
【００２９】
また、凹凸の形状は、同心円以外にも渦巻状に連続した形状であってもよく、円形以外でもスリットから薬液を広げる効果がある形状であればよい。薬液は、凹凸の谷の部分を伝って、スリットと同じく毛管現象によって広がる。
【００３０】
このような、拡散板外周部分に設けた凹凸は、その形成方法に限定を加えるものではなく、たとえば拡散板がプラスチックである場合には、金型によって成型するのでもよく、
あるいは切削加工によって設けるのでもよい。
【００３１】
図４は、本発明に係る薬液の拡散板の、一実施形態の使用状況を説明するための部分断面模式図である。
【００３２】
拡散板（１０）の螺子穴（３）の内側の壁面には、拡散板の螺子山（６）と螺子溝（２）とが交互になるよう設けてあり、容器口部の螺子山（７）を、螺子溝（２）に螺合し嵌め合わせて容器（４）を拡散板（１０）の螺子穴（３）に固定することができる。
【００３３】
拡散板（１０）の固定は、まず薬液の容器の蓋を外して、容器口部（１１）、および容器口部の螺子山（７）を露出させ、拡散板（１０）の、螺子溝（２）と嵌め合わせて固定する。このとき、容器口部（１１）と、螺子穴底部（５）との間に、空隙（８）ができるよう、容器口部の螺子山（７）と、螺子溝（２）の位置を決めておく必要がある。空隙（８）は、薬液の液溜まりとして機能する。
【００３４】
その後、拡散板（１０）を下にして、容器（４）を倒立させる。容器（４）内の薬液は、螺子穴底部（５）の、容器口部（１１）と螺子穴底部（５）の間の、空隙（８）を経由して、拡散板（１０）の螺子穴（３）の内側から連続する、螺子穴周縁部（１２）、螺子穴外壁（１３）、および拡散板外周表面（１４）に設けられた、スリット（１）に沿って外部へ導き出される。薬液の拡散（１５）は、スリット（１）と外部空気との接触線（２１）から行なわれる。
【００３５】
すなわち、容器口部（１１）と拡散板螺子穴底部（５）との、空隙（８）には、薬液の液溜まりがあって、拡散板（１０）の螺子穴（３）の内側から連続する、螺子穴周縁部（１２）、螺子穴外壁（１３）、および拡散板外周表面（１４）に設けられた、スリット（１）による毛管現象によって、薬液は、螺子穴（３）の外部に導き出される。
【００３６】
液体容器内部から、本発明による拡散板によって外部に導き出された薬液は、スリットと外部空気との接触線（２１）から、矢印で示す薬液の拡散（１５）が行なわれ、容器外部の空気中へと拡散する。
【００３７】
図４の断面図には示していないが、拡散板外周表面（１４）にスリットのほか、たとえば同心円の凹凸などが設けてある場合には、薬液の拡散（１５）はその部分からも行なわれる。
【００３８】
このようにして、本発明による拡散板（１０）は、容器内部の薬液を外気に拡散することができる。
【００３９】
この、芳香剤や薬液の交換あるいは新規の開封においては、容器の口栓を開封して、拡散板の螺子穴を螺合し嵌め合わせるだけでよいので、不織布やフエルト等との接触によって手指を汚染させることなく、容易に作業が可能で、芳香剤や薬液の拡散にも支障のない、薬液の拡散板を提供することが可能である。
【００４０】
以下本発明に係る、各構成要素のうち、拡散板、およびスリットについて、個々に詳細な説明を加える。
【００４１】
（拡散板）
本発明による薬液の拡散板に関しては、図１にその一実施態様を示すが、容器口部を固定することができる螺子穴（３）を有している。また拡散板（１０）の外形は、図１に示す円形以外でもよく任意である。
【００４２】
ただし、螺子穴（３）に固定した容器を倒立した状態で支える必要があるため、拡散板（１０）の裏面（１）全体は平面、あるいは倒立した状態を支えることができる形状、大きさ、平面性を有するものとする。
【００４３】
拡散板（１０）の材質は、特段の限定を加えるものではないが、螺子穴底部（５）には、容器（４）に収納した薬液が直接接触するため、沁み込みがある場合には不適当である。また、薬液によって、化学的にあるいは形状などが変化する材料は不適当である。
【００４４】
したがって、拡散板（１０）の材質は、容器（４）に収納した薬液の沁み込みがなく、変化することのない材料から適宜選択することができる。たとえば、プラスチック材料の中から選択して用いることも可能であり、とくに拡散板（１０）を金型による射出成型などで形成しようとする場合には、成型の特性も考慮して選択することができる。
【００４５】
（スリット）
本発明による拡散板（１０）において、薬液の拡散は、拡散板（１０）の螺子穴（３）の内側から連続する、螺子穴周縁部（１２）、螺子穴外壁（１３）、および拡散板外周表面（１４）に設けられた、スリット（１）による毛管現象によって薬液を容器（４）外に導き出すことによって行なわれる。
【００４６】
われわれは、鋭意検討を重ねた結果、薬液の毛管現象を利用するためには、スリット（１）の幅が０．０５ｍｍ〜０．６ｍｍの範囲であることが最適であることを見出した。
【００４７】
スリット（１）の形状は、たとえば図１に示すように、８本の放射状の直線で効果が認められるが、螺子穴（３）内側から連続したスリット（１）であって、螺子穴（３）外側の拡散板外周表面（１４）に続くものであれば、その数、形状は拡散効果が目的に対して適切な範囲である限り、任意である。
【００４８】
したがって、スリット（１）の本数や長さ、形状は薬液の拡散およびその効果を考慮して適宜選択、設計することができる。したがって、図１に示す実施形態例はその一例に過ぎない。
【００４９】
また本発明によれば、新規に開封して使用する芳香剤や薬液について、不織布やフェルトを用いることなく、拡散板を用いての拡散の開始が可能であって、手指を汚染させることを避けることができる。
【００５０】
さらに詰め替えタイプの芳香剤や薬液の交換に際しても、拡散板を用いることができるために、不織布やフエルトを手指で触ることなく、拡散板の螺合のみで行なうことができるため、手指を汚染させることを避けることができる。
【００５１】
このように本発明によれば、液体容器に収納された芳香剤や薬液の初回使用時や内容物の詰め替え作業において、手指を汚染させることなく、容易に作業が可能で、芳香剤や薬液の拡散にも支障のない、薬液の拡散板を提供することが可能である。
【実施例】
【００５２】
以下本発明を、実施例および比較例によって更に具体的な説明を加える。ただし本発明は、ここに示す例にのみ限定されるものではない。本発明は、請求項によって限定されるものである。
【００５３】
現在商品化され市販されている消臭剤を用いて、従来の不織布による拡散と、本発明に
よる拡散板を用いた拡散を比較評価した。
使用サンプルは下記のとおりである。
サンプル：液体タイプ消臭剤（トイレ用）化学メーカーＥ社製
内容量：４００ｍｌ
標準使用期限：２〜３ヶ月（季節により異なる）
【００５４】
＜実施例＞
市販の前記消臭剤に対し、蓋を取り去り、本発明による薬液の拡散板を嵌め合わせ、倒立させて、容器内部の消臭剤を拡散させた。
【００５５】
拡散板の形状は、図１に示した形状のものを用いた。
スリット幅：０．５ｍｍ
拡散板厚さ（１７）：６．５ｍｍ
【００５６】
＜比較例＞
市販の前記消臭剤を、本来の使用方法である、蓋を持ち上げて、不織布を露出させ、容器内部の消臭剤を拡散させた。
【００５７】
＜評価項目および評価方法＞
（１）拡散量
経過時間によって、容器内部の消臭剤の拡散状態を評価した。
評価は、拡散量として、経過時間ごとにその都度重量を測定し、初期重量との差を求めた。
（２）漏れ
実施例については、実用の見地から、容器内部の消臭剤の漏れがないことを確認した。
【００５８】
評価結果を表１および図５に示す。表１は実施例、および比較例の、時間経過と拡散量の変化を示すものである。図５はそれをグラフに示したものであって、すなわち図５は、本発明による薬液の拡散板の実施例、および比較例の拡散評価を示す図である。
【００５９】
【表１】
2018042656.tif 000003
【００６０】
評価結果のうち、拡散量については、図５からわかるとおり、実施例は比較例に比べて、ゆるやかな拡散を示している。拡散の傾向は、グラフがほぼ直線であることから、一様な拡散が続いているものと見られる。
【００６１】
本発明による薬液の拡散板を用いる実施例は、市販品をそのまま使用する比較例と、同様の拡散傾向を示すものであることがわかる。また本発明による拡散板を用いる実施例においては、容器内部と外部とのつながりは、螺子穴内側から拡散板外周表面に連続して設けた、８本のスリットのみであって、消臭剤の拡散はこのスリットによる毛管現象、およびそれに続く蒸発によるものであることがわかる。
【００６２】
表１に示す結果から、比較例においては、比例計算によれば、４５日で容器に収納された全量が拡散するのに対して、実施例の場合には１２０日で全量が拡散する計算である。この差自体には大きな問題はなく、目的の消臭効果を満足するものであれば、どちらがいいということではない。また実施例においてはスリットの数等によって、制御可能であると考えられる。
【００６３】
評価結果のうち、漏れについては、実施例の目視による観察において１４４時間後においても、漏れの発生は見られなかった。本発明による実施例の薬液の拡散板は、実用上問題ないと考えられる。
【００６４】
このように本発明によれば、液体容器に収納された芳香剤や薬液の、初回使用時や内容物の詰め替え作業において、手指を汚染させることなく、容易に作業が可能で、芳香剤や薬液の拡散にも支障のない、薬液の拡散板を提供することが可能であることを検証することができた。
【符号の説明】
【００６５】
１・・・スリット
２・・・螺子溝
３・・・螺子穴
４・・・容器
５・・・螺子穴底部
６・・・拡散板の螺子山
７・・・容器口部の螺子山
８・・・空隙
１０・・・拡散板
１１・・・容器口部
１２・・・螺子穴周縁部
１３・・・螺子穴外壁
１４・・・拡散板外周表面
１５・・・薬液の拡散
１６・・・裏面
１７・・・拡散板厚さ
１８・・・同心円の凹凸
１９・・・高さ
２０・・・ピッチ
２１・・・スリットと外部空気との接触線
【図１】
2018042656.tif 000004
【図２】
2018042656.tif 000005
【図３】
2018042656.tif 000006
【図４】
2018042656.tif 000007
【図５】
2018042656.tif 000008